(57)【要約】【課題】本発明は、一枚状のダンボール紙を組み立てることにより座った状態で覆うことができる高さを有し、プライバシーを保護することができるついたてを提供することを提供することを目的とするものである。【解決手段】本発明は、一枚状の板材より形成されるついたて本体１と、前記ついたて本体１の縦方向に設けられる縦折り目４によって形成される左右側壁面１０Ａ、１０Ｂと、前記左右側壁面１０Ａ，１０Ｂの横方向に設けられる横折り目７によって形成される左右側支持面１１Ａ、１１Ｂを備える。【選択図】図１
2009018102.tif 000002
【特許請求の範囲】
【請求項１】
一枚状の板材より形成されるついたて本体と、
前記ついたて本体の縦方向に設けられる縦折り目によって形成される左右側壁面と、
前記左右側壁面の横方向に設けられる横折り目によって形成される左右側支持面を備える
ことを特徴とする折り畳み式ついたて。
【請求項２】
前記左右側壁面の少なくともいっぽうに、氏名および住所を記入するための枠線を設ける
ことを特徴とする請求項１記載の折り畳み式ついたて。
【請求項３】
前記左右側壁面の少なくともいっぽうに、開口状とされる袋体を設ける
ことを特徴とする請求項１または２記載の折り畳み式ついたて。
【請求項４】
前記ついたて本体の左右側壁面と左右側支持面との横折り目を跨ぐようして一定間隔の補強用切目が設けられる
ことを特徴とする請求項１、２または３記載の折り畳み式ついたて。
【請求項５】
前記一枚状の板材がダンボール紙より形成される
ことを特徴とする請求項１、２、３または４記載の折り畳み式ついたて。
【発明の詳細な説明】
【技術分野】
【０００１】
本発明は、折り畳み式ついたてに関する。詳しくは体育館などの緊急避難先での集団生活に使用する折り畳み式ついたてに係るものである。
【背景技術】
【０００２】
近年、毎年のように地震などの災害によって家屋等が倒壊する、あるいは倒壊する恐れがあるために、近くの学校の体育館などに緊急避難をしている状況がテレビに映し出されている光景を見ることが多い。
このような状況下における集団避難生活では、体育館などの平坦な床面に、毛布や布団、および身の回りの小物だけを持って家族単位で食事、睡眠など最小限度の生活が営まれるよう考慮されている。
【０００３】
しかし、前記体育館などにおける集団避難生活では、見たくなくとも隣人の姿が見え、あるいは見られてしまう不具合があり、何をするにしても周囲を気にしなくてはならず気の休まることがなく、夜間でも電灯が灯っていることが多く、安眠できないなどの問題がある。また、互いの家族の間に区画がないため、自他の所有物が混じり合ってしまうなどの不具合があり、さらに大勢が避難している場合にそこへ送られてくる救援物質や手紙を、届けるべく宛て先の個人を見つけ出すのに非常に手間がかかる問題がある。
【０００４】
そこでこれらの問題点に鑑みて図４に示すような簡易ついたてが発明されている。この簡易ついたては、隔壁１０１を形成する巻き紙を一面にのみ設けた表紙と交互に折り返した屈曲紙１０２とで構成し、その巻き紙の幅をほぼ４０ｃｍに設定すると共に、それを解いて所定の長さに切断し、略四角形に屈曲させて、その両端部をクリップ１０３によって連結した構成とされる（特許文献１参照。）。
【０００５】
【特許文献１】特開平６−６２９４２号公報（要約書、第２図）
【発明の開示】
【発明が解決しようとする課題】
【０００６】
しかしながら前記構成のついたてでは、家族人数分に合せてダンボール紙を略四角形に屈曲させ、その両端部をクリップによって連結するために四方がダンボール紙に囲まれた状態となる。したがって囲いの出入りは隔壁上を跨いで出入りしなければならず、年老いた人には非常に手間がかかる問題がある。
【０００７】
また、隔壁を跨いでの出入りとなるために隔壁の高さは最高でも４０ｃｍが限度となる。この高さでは座った状態でも姿が見えることになり、周囲を気にしなくて過ごすことはできない。さらに、隔壁面に名前や住所などの情報を表示する場合では、低い位置での表示となるために非常に見難いなどの問題がある。
【０００８】
本発明では以上の点に鑑みて創案されるものであり、一枚状のダンボール紙を組み立てることにより座った状態で覆うことができる高さを有し、プライバシーを保護することができるついたてを提供することを提供することを目的とするものである。
【課題を解決するための手段】
【０００９】
上記の目的を達成するために、本発明に係るついたては、一枚状の板材より形成されるついたて本体と、前記ついたて本体の縦方向に設けられる縦折り目によって形成される左右側壁面と、前記左右側壁面の横方向に設けられる横折り目によって形成される左右側支持面を備える。
【００１０】
ここで、前記一枚状の板材を縦折り目から９０度ほど折り曲げることによって左右側壁面が形成され、前記左右側壁面の下部に設けられる横折り目から９０度ほど折り曲げることによって左右側支持面が形成されついたてとして容易に立設することができる。
【００１１】
また、前記左右側壁面の少なくともいっぽうに、氏名および住所を記入するための枠線を設けることによって、避難者が前記枠線内に住所および氏名を書き込むことによって容易に避難者の特定を行うことができる。
【００１２】
また、前記左右側壁面の少なくともいっぽうに、開口状とされる袋体を設けることによって、郵便物や書類等の配達を間違えずに容易に行うことができる。
【００１３】
また、前記一枚状の板材がダンボール紙より形成されることによって、軽量、かつ強度に優れ、折り目や切目の加工を機械によって容易に行うことができると共に、使用後の廃棄処理を一般の燃焼ゴミとして取扱うことができる。
【００１４】
なお、ダンボール紙の場合には前記ついたて本体の左右側壁面と左右側支持面との横折り目を跨ぐようして一定間隔の補強用切目を設けることが望ましい。
【発明の効果】
【００１５】
本発明のついたてによれば、一枚状のダンボール紙に折り目および切目を入れることによって組立てを可能となるものであり、平素は避難所となる体育館や公民館などの倉庫に相当数のついたてを常備することが可能となる。
【００１６】
また、ついたての高さが約９０ｃｍとされるために、座った状態ではほぼ完全に身体が隠されることになり、人目を気にせずに着替えや食事などプライバシーを保護することが可能となる。
【００１７】
さらに、ダンボール紙は単価を安くすることができ、かつ使用後に回収して燃やしても合成樹脂材のように有毒ガスが発生することなく環境を損なうことなく廃棄処理することが可能となる。
【発明を実施するための最良の形態】
【００１８】
以下、本発明の実施の形態を図面を参酌しながら説明し、本発明の理解に供する。
図１（イ）に、本発明を適用したついたての一例を示す展開図、図１（ロ）に、図１（イ）における組立図を示す。
【００１９】
ここで示すついたて本体１は、ダンボール紙によって形成されるものであり、このダンボール紙は、図２（イ）（ロ）（ハ）でそれぞれ示すように、波形に加工した中しんａの片面にライナーｂ（板紙）を貼り合わせた片面ダンボール、中しんａの両面にライナーｂを貼り合わせた両面ダンボール、あるいは両面ダンボールの片側に片面ダンボールを貼り合わせた複両面ダンボールなどがある。これらのダンボール紙は中しんａに厚みと強度を持たせた構造とすることによって折り曲げ難くなり、梱包箱などに多く使用されている。
なお、本発明において使用するダンボール紙としては図２（ロ）で示す中しんａの両面にライナーｂを貼り合わせた両面ダンボール紙を採用するものである。
【００２０】
このようなダンボール紙を縦約１２０ｃｍ、横約１８０ｃｍの四辺形に裁断して、ついたて本体１を作成する。そしてついたて本体１の上辺２および下辺３の中央（９０ｃｍ）位置より上下方向に沿って縦折り目４を設けることにより、その左右側についたて壁面１０Ａ、１０Ｂが形成されることになる。
【００２１】
また、前記ついたて本体１の下辺２より３０ｃｍの位置についたて本体１の右側辺５から左側辺６に向けて横折り目７を設け、さらに前記縦折り目４の下辺２より横折り目７までに縦切目８を設けることにより前記壁面１０Ａ、１０Ｂの支持面１１Ａ、１１Ｂが形成されることになる。
【００２２】
そして前記壁面１０Ａ、１０Ｂと支持面１１Ａ、１１Ｂの横折り目７を跨ぐようにして一定間隔を設けた一対の補強用切目９、９が４個設けられた構成とするものである。
【００２３】
ここで、ついたて本体１を図１（ロ）で示すように、まず、壁面１０Ａ、１０Ｂの下部に形成される支持面１１Ａ、１１Ｂを横折り目７によって外側方向へ約９０度折り曲げる。この際には、壁面１０Ａ、１０Ｂと支持面１１Ａ、１１Ｂ間に設けられる補強用切目９、９により、該補強用切目９、９間の紙片が約９０度の角度で折り曲がり、壁面１０Ａ、１０Ｂを垂直状に支持する補強辺１２として形成されることになる。
【００２４】
次に、前記壁面１０Ａ、１０Ｂを前記縦折り目４より約９０度の角度により折り曲げることによって前記壁面１０Ａ、１０Ｂが互いに約９０度の角度に開いた状態で床上に垂直に立設することとなる。
【００２５】
また、図１（ロ）に示すように、前記壁面１０Ａ、１０Ｂの外側の上部位置には、避難者の氏名・住所を書き込むための枠線１３が印刷され、この枠線１３内に避難者の氏名・住所を書き込むことによって避難者の身元が一目瞭然となるようにする。
【００２６】
さらに、前記枠線１３の横位置には手紙や書類等を差し入れることができる上端開口状の袋体１４を貼着した構成とするものである。この袋体１４は透明状の合成樹脂素材によって形成され、両面接着テープ等によってついたて本体１を組立てた後に、別途用意した袋体１を貼着するようにすることが望ましい。
【００２７】
また、前記支持面１１Ａ、１１Ｂの床面との接地面には滑り止め又は、床面への固定のために、両面テープ１５を取付ける、あるいはついたて本体１を床面上に立てる際に、別途用意した両面テープ１５によって接着させる構成であっても構わない。
【００２８】
なお、本実施例ではダンボール紙を使用したついたてについて詳述したが、軽量かつ適度に丈夫な素材、例えば硬質スチロール・軽量木材、あるいは軽量プラスチックなど平板状から折り目を入れることによって立ち上げることができるものであればいかなる素材であっても構わない。
【００２９】
以上の構成よりなる本発明では、避難場所に指定された公共の体育館や公民館などに平板状のついたて本体１があらかじめ倉庫内に積み上げられている。この場合には、縦１２０ｃｍ、横１８０ｃｍのスペースがあればよく、ダンボール紙の厚さが５ｍｍ程度であるために、１ｍ高さであれば約２００枚のついたて本体１を積み重ねることができ、相当数のついたて本体１を確保することが可能となる。
【００３０】
そこで体育館や公民館などに避難された避難者に対してついたて本体１を一枚ずつ配布する。その際に前記図１（ロ）で詳述したように、壁面１０Ａ、１０Ｂの外側の上部位置の避難者の氏名・住所を書き込むための枠線１３内に住所および氏名を書いてもらい、この枠線１３の横位置に、袋体１を貼着する。
【００３１】
そして避難者は、避難所の割り当てられた場所においてついたて本体１を前述した要領で縦折り目４および横折り目７に沿って壁面１０Ａ、１０Ｂおよび支持面１１Ａ、１１Ｂを折り曲げてついたて本体１を立ち上げるものである。
【００３２】
ここで、図３（イ）（ロ）（ハ）（ニ）で示すように、就寝時の活用方法として図３（イ）で示すように、避難者Ａの頭部Ｂがついたて本体１の縦折り目４近傍までの位置までとし、その上端の壁面１０Ａ、１０Ｂ間にタオルＣなどを掛け渡すことにより、避難者Ａの上方がタオルＣによって覆われた状態となり、建物の照明や雑音が入り難くなり、安眠することができる。
【００３３】
また、割り当てられた場所が壁際の場合では、図３（ロ）に示すように、避難者Ａの頭部Ｂと開放側とを覆うような状態で立設する。
【００３４】
次に、図３（ハ）に示すように、更衣をする場合には、二枚のついたて本体１によって互いの開放端を突き合わせることによって各壁面１０Ａ、１０Ｂによって四方形の囲いを形成することが可能となる。これにより避難者Ａはついたて本体１によって完全に覆われることになり、安心して着替えをすることができる。
【００３５】
また、図３（ニ）に示すように、夫婦や兄弟などのように２人で寝る場合では、２枚のついたて本体１を組立て、壁面１０Ａ、１０Ｂを突き合わせる２人並んだ状態の頭部Ｂ、Ｂを２枚の壁面１０Ａ、１０Ｂによって覆うこととなる。
【００３６】
このように、前記ついたて本体１の高さが９０ｃｍとされることにより避難者が座った状態では完全に壁面１０Ａ、１０Ｂによって覆われることになり、人に見られることなくプライバシーを保護することが可能となる。
【００３７】
また、前記壁面１０Ａ、１０Ｂの上部に氏名・住所などの個人情報を記入することにより呼び出しによる特定をする必要がなく、雑音によるストレスを解消することができる。さらに、袋体を、前記壁面１０Ａ、１０Ｂに設けることにより郵便物などを間違いなく正確に届けることが可能となる。
【図面の簡単な説明】
【００３８】
【図１】本発明を適用したついたての一例を示す説明図である。
【図２】ダンボール紙の構造を示す断面説明図である。
【図３】本発明を適用したついたての使用例を示す説明図である。
【図４】従来のついたての一例を示す説明図である。
【符号の説明】
【００３９】
１      ついたて本体
２      上辺
３      下辺
４      縦折り目
５      右側辺
６      左側辺
７      横折り目
８      縦切目
９      補強用切目
１０Ａ、１０Ｂ  壁面
１１Ａ、１１Ｂ  支持面
１２    補強辺
１３    枠線
１４    袋体
１５    両面テープ
【図１】
2009018102.tif 000003
【図２】
2009018102.tif 000004
【図３】
2009018102.tif 000005
【図４】
2009018102.tif 000006